(57)【要約】【課題】接続面に異物が付着することを抑制できるコネクタを提供する。【解決手段】内部流路を有する雄側ケース１７と、該内部流路に連通し外部流路に接続される雄側接続口とを有する雄型コネクタ１２において、雄側接続口を閉塞する閉塞位置と、雄側接続口を露出する開放位置との間で変位するシャッター部２６を備えた。【選択図】図１
2013007466.tif 000002
【特許請求の範囲】
【請求項１】
内部流路を有するハウジングと、該内部流路に連通し外部流路に接続される接続口とを有するコネクタにおいて、
前記接続口を閉塞する閉塞位置と、前記接続口を露出する開放位置との間で変位するシャッター部を備えたことを特徴とするコネクタ。
【請求項２】
前記シャッター部は、前記閉塞位置と前記開放位置との間を変位する際に前記接続口を払拭する払拭部を備えた請求項１に記載のコネクタ。
【請求項３】
前記シャッター部は、
前記外部流路を備えた外部コネクタの挿入により非作用位置と作用位置との間で変位する伝達部材と、
前記伝達部材の変位に従動し、前記閉塞位置と前記開放位置との間で変位するシャッター板とをさらに備えた請求項１又は２に記載のコネクタ。
【請求項４】
前記シャッター部は、前記シャッター板によって開口が閉塞される外郭部をさらに備える請求項３に記載のコネクタ。
【請求項５】
前記シャッター部は、
前記ハウジングを囲む外郭部と、
前記外郭部に形成された溝部に支持され、該溝部に沿って前記閉塞位置と前記開放位置との間でスライド移動するシャッター板とをさらに備えた請求項１又は２に記載のコネクタ。
【請求項６】
前記シャッター板は、複数の山部と、該山部の間に形成された複数の谷部とを有し、前記溝部の形状に沿って屈曲する請求項５に記載のコネクタ。
【請求項７】
前記シャッター部は、
前記ハウジングを囲む外郭部と、
互いに組み合わされることで前記接続口を閉塞する１対の蓋体とを備え、
前記蓋体は、前記外郭部に形成された突部を内嵌する溝をそれぞれ有し、前記溝の内側に前記突部をスライドさせながら変位する請求項１に記載のコネクタ。
【請求項８】
前記シャッター部は、
前記ハウジングを囲む外郭部と、
前記外郭部に回動可能に軸支される円蓋部を備える請求項１に記載のコネクタ。
【発明の詳細な説明】
【技術分野】
【０００１】
この発明は、外部コネクタが有する外部流路に接続されるコネクタに関する。
【背景技術】
【０００２】
複数の流路を接続するためのコネクタとして、弁機構をそれぞれ有する雌型のコネクタ及び雄型のコネクタがある。この種のコネクタとして、図１６に示すように、雄側弁１０３及び雄側ばね１０４を有する雄継手１０１と、弁座部１０５及び雌側ばね１０６とを有する雌継手１０２とを備えたコネクタがある（例えば、特許文献１参照）。
【０００３】
雄継手１０１と雌継手１０２とを接続しない非接続時には、雄側弁１０３は、雄側ばね１０４によって、雄本体１０７の接続口１０８を閉塞する位置に付勢されている。この位置での雄側弁１０３の先端面は、外部に露出されている。また、弁座部１０５は、雌側ばね１０６によって、雌本体１０９の接続口１１０を閉塞する位置に付勢されている。さらに、雌継手１０２は、雌本体１０９の内側に、移動不能に固定された雌側弁１１１を備えている。
【０００４】
雄継手１０１と雌継手１０２とを接続する接続時には、各接続口１０８，１１０を対向させ、雄継手１０１を雌本体１０９内に挿入する。このとき、雄本体１０７の端面が弁座部１０５に当接し、雄側弁１０３の先端面が、雌側弁１１１の先端面に当接する。
【０００５】
そして、雄継手１０１を雌継手１０２内にさらに挿入していくと、雄本体１０７が、雌側ばね１０６の付勢力に抗して弁座部１０５を雌本体１０９内に押し込む。また、雄側弁１０３が雌側弁１１１に当接して雄本体１０７内に押し込まれる。その結果、雄本体１０７内の流路と雌本体１０９内の流路とが連通状態とされ、流体が通過可能となる。
【０００６】
また、雄継手１０１と雌継手１０２との接続を解除する際には、雌継手１０２から雄継手１０１を引き抜く。その結果、雄側弁１０３及び弁座部１０５は、各接続口１０８，１１０をそれぞれ閉塞する位置に変位する。
【先行技術文献】
【特許文献】
【０００７】
【特許文献１】特許３５２９５６２号公報
【発明の概要】
【発明が解決しようとする課題】
【０００８】
ところで、非接続時の雄継手１０１の先端面は、外部に露出されているため、この先端面に塵埃等の異物が付着することがあった。この雄継手１０１の先端面に異物が付着すると、雄継手１０１と雌継手１０２とが連結された際に、その異物が、流体に混入する虞がある。
【０００９】
一方、弁座部１０５や雌側弁１１１は、雌本体１０９の端面よりも内側に配置されているものの、露出された状態であるため、それらの先端面にも塵埃等が付着する可能性がある。
【００１０】
本発明は、上記問題点に鑑みてなされたものであり、その目的は、接続面への異物の付着を抑制することができるコネクタを提供することにある。
【課題を解決するための手段】
【００１１】
上記問題点を解決するために、請求項１に記載の発明は、内部流路を有するハウジングと、該内部流路に連通し外部流路に接続される接続口とを有するコネクタにおいて、前記接続口を閉塞する閉塞位置と、前記接続口を露出する開放位置との間で変位するシャッター部を備えたことを要旨とする。
【００１２】
請求項１に記載の発明によれば、コネクタと外部流路とを接続する場合には、シャッター部を開放位置に配置し、コネクタに外部流路が接続されていない非接続時には、シャッター部を閉塞位置に配置して接続口を閉塞することができる。このため、外部流路との非接続時において、コネクタの接続口に塵埃等の異物が付着することを抑制することができる。
【００１３】
請求項２に記載の発明は、請求項１に記載のコネクタにおいて、前記シャッター部は、前記閉塞位置と前記開放位置との間を変位する際に前記接続口を払拭する払拭部を備えたことを要旨とする。
【００１４】
請求項２に記載の発明によれば、シャッター部は、接続口を払拭する払拭部を備えたため、閉塞位置から開放位置へ変位する際、及び開放位置から閉塞位置へ変位する際に、接続口に付着した異物を除去することができる。このため、接続口に付着した異物が、コネクタ内に混入することを抑制することができる。
【００１５】
請求項３に記載の発明は、請求項１又は２に記載のコネクタにおいて、前記シャッター部は、前記外部流路を備えた外部コネクタの挿入により非作用位置と作用位置との間で変位する伝達部材と、前記伝達部材の変位に従動し、前記閉塞位置と前記開放位置との間で変位するシャッター板とをさらに備えたことを要旨とする。
【００１６】
請求項３に記載の発明によれば、伝達部材は、連結部材の挿入により変位し、シャッター板は、その伝達部材に従動する。即ち、伝達部材に外部コネクタを挿入することにより、特別な操作を行わなくても、シャッター板が開放位置に配置される。従って、外部コネクタとコネクタとの連結を、簡単な操作で行うことができる。
【００１７】
請求項４に記載の発明は、請求項３に記載のコネクタにおいて、前記シャッター部は、前記シャッター板によって開口が閉塞される外郭部をさらに備えることを要旨とする。
請求項４に記載の発明によれば、シャッター板と外郭部とにより接続口が囲まれるので、接続口への異物の付着をさらに効果的に抑制することができる。
【００１８】
請求項５に記載の発明は、請求項１又は２に記載のコネクタにおいて、前記シャッター部は、前記ハウジングを囲む外郭部と、前記外郭部に形成された溝部に支持され、該溝部に沿って前記閉塞位置と前記開放位置との間でスライド移動するシャッター板とを備えたことを要旨とする。
【００１９】
請求項５に記載の発明によれば、シャッター板は、溝部に沿ってスライド移動可能であるため、コネクタに外部流路が接続されていない非接続時には、シャッター板を閉塞位置にスライド移動し、接続口を閉塞することができる。このため、非接続時において、コネクタの接続口に塵埃等の異物が付着することを抑制することができる。
【００２０】
請求項６に記載の発明は、請求項５に記載のコネクタにおいて、前記シャッター板は、複数の山部と、該山部の間に形成された複数の谷部とを有し、前記溝部の形状に沿って屈曲することを要旨とする。
【００２１】
請求項６に記載の発明によれば、シャッター板は、溝部の形状に沿って屈曲可能であるため、溝部の形状を調整することにより、開放位置にあるシャッター板の収容空間の位置や形状を変更することができる。
【００２２】
請求項７に記載の発明は、請求項１に記載のコネクタにおいて、前記シャッター部は、前記ハウジングを囲む外郭部と、互いに組み合わされることで前記接続口を閉塞する１対の蓋体とを備え、前記蓋体は、前記外郭部に形成された突部を内嵌する溝をそれぞれ有し、前記溝の内側に前記突部をスライドさせながら変位することを要旨とする。
【００２３】
請求項７に記載の発明によれば、コネクタに外部流路が接続されていない場合には、蓋体を閉塞位置に変位させ、接続口を閉塞することができる。このため、非接続時において、コネクタの接続口に塵埃等の異物が付着することを抑制することができる。
【００２４】
請求項８に記載の発明は、請求項１に記載のコネクタにおいて、前記シャッター部は、前記ハウジングを囲む外郭部と、前記外郭部に回動可能に軸支される円蓋部を備えることを要旨とする。
【００２５】
請求項８に記載の発明によれば、円蓋部は、回動可能であるため、コネクタに外部流路が接続されていない非接続時には、円蓋部を閉塞位置に回動し、接続口を閉塞することができる。このため、非接続時において、コネクタの接続口に塵埃等の異物が付着することを抑制することができる。
【発明の効果】
【００２６】
以上のように、この発明によれば、接続面に異物が付着することを抑制できるコネクタを提供するといった効果を奏する。
【図面の簡単な説明】
【００２７】
【図１】本発明を具体化した第１実施形態の雄型コネクタ及び雌型コネクタの斜視図。
【図２】同雄型コネクタの断面図。
【図３】同雄型コネクタを構成する各シャッター部材の斜視図。
【図４】同雄型コネクタを構成する伝達部材を下面からみた斜視図。
【図５】同雄型コネクタの平面図。
【図６】雌型コネクタの先端を挿入した状態の雄型コネクタの平面図。
【図７】雌型コネクタが連結された雄型コネクタの平面図。
【図８】本発明を具体化した第２実施形態の雄型コネクタの斜視図。
【図９】同雄型コネクタを構成するシャッター板の斜視図。
【図１０】同シャッター板が閉塞位置にある同雄型コネクタの斜視図。
【図１１】本発明を具体化した第３実施形態の雄型コネクタの斜視図。
【図１２】シャッター部が閉塞位置にある同雄型コネクタの斜視図。
【図１３】本発明を具体化した第４実施形態の雄型コネクタの斜視図。
【図１４】シャッター部が開放位置にある同雄型コネクタの断面図。
【図１５】シャッター部が閉塞位置にある同雄型コネクタの斜視図。
【図１６】従来のコネクタの断面図。
【発明を実施するための形態】
【００２８】
（第１実施形態）
以下、本発明のコネクタを、雌型コネクタに挿入される雄型コネクタに具体化した第１実施形態を図１〜図７にしたがって説明する。
【００２９】
図１に示す外部コネクタとしての雌型コネクタ１１は、流体が流れる第１外部流路（図示略）に接続され、雄型コネクタ１２は、流体が流れる第２外部流路（図示略）に接続される。そして、これらの雌型コネクタ１１及び雄型コネクタ１２が互いに接続されることで、第１外部流路及び第２外部流路が連通する。尚、流体は、液体、気体、固体が分散した液体又は気体、ゾル状物等であり、雌型コネクタ１１及び雄型コネクタ１２内を通過可能であればよい。
【００３０】
雌型コネクタ１１は、一端に雌側接続口１３を有する略円筒状の雌側ケース１５を備えている。雌側ケース１５のうち、雌側接続口１３に対して反対側となる端部には、上記第１外部流路に接続される継手部１４が連結されている。この雌側ケース１５内には、雌側接続口１３を閉塞可能な雌側弁体、及びその雌側弁体を雌側接続口１３へ付勢するばねからなる雌側弁機構と、雌側ケース１５内に移動不能に固定された固定弁とが収容されている（いずれも図示略）。
【００３１】
雄型コネクタ１２は、雄側接続口を備えたコネクタ本体１６と、雌型コネクタ１１に接続されない非接続時に雄側接続口を閉塞し、雌型コネクタ１１に接続される接続時に雄側接続口を外部に露出した状態とするシャッター部Ｓとを備えている。
【００３２】
まず、コネクタ本体１６及びその内部構造について説明する。図２に示すように、コネクタ本体１６は、ハウジングとしての筒状の雄側ケース１７を有する。雄側ケース１７は、樹脂製であって略円筒状を呈し、内側に内部流路１８を有している。内部流路１８は、大径流路１８ａと、大径流路１８ａよりも小さい内径を有する小径流路１８ｂとから構成され、大径流路１８ａと小径流路１８ｂとの間には、傾斜した段差面１８ｃが形成されている。
【００３３】
また、雄側ケース１７は、その一端に、雌型コネクタ１１に接続される雄側接続口２３を有している。この雄側接続口２３には、小径流路１８ｂが連通している。雄側ケース１７の外周面のうち、雄側接続口２３側の端部には、嵌合溝１７ａが形成され、この嵌合溝１７ａには、シールリング１７ｂが嵌合されている。
【００３４】
また、雄側ケース１７のうち、雄側接続口２３に対して反対側となる端部には、第２外部流路に接続される継手部１９がシールリング１７ｃを介して連結されている。この継手部１９の流路には、大径流路１８ａが連通している。
【００３５】
また、雄側ケース１７内には、雄側弁体２１とコイルばね２２とを有する雄側弁機構２０が収容されている。雄側弁体２１は、樹脂製であって略有蓋筒状に形成され、開口を有する基端部２１ａと、該基端部２１ａよりも小径の先端部２１ｂとを備えている。
【００３６】
基端部２１ａは、大径流路１８ａと小径流路１８ｂとの段差面１８ｃに当接可能な形状を有するとともに、その外径は、大径流路１８ａの内径よりも若干小さくなっている。先端部２１ｂの外径は、小径流路１８ｂよりも若干小さく形成され,その外周面には、雄側ケース１７との間を介した流体の漏出を抑制するシールリング２１ｄが外嵌されている。
【００３７】
また、雄側弁体２１の周壁部には、貫通孔２１ｃが形成されている。雄側弁体２１が、小径流路１８ｂから抜出されることによって雄側接続口２３が開放されると、流体は、この貫通孔２１ｃを介して、雄側ケース１７の内部流路１８に送出される。
【００３８】
コイルばね２２は、大径流路１８ａ内に伸縮可能な状態で配設されている。このコイルばね２２は、雄側弁体２１を、先端部２１ｂが小径流路１８ｂに挿入される位置に付勢する。この位置に雄側弁体２１が配置されると、先端部２１ｂによって小径流路１８ｂが閉塞され、内部流路１８内の流体の流れが遮断される。以下、この状態の雄側弁体２１の位置を閉位置という。
【００３９】
次に、雄型コネクタ１２を構成するシャッター部Ｓについて説明する。図１に示すように、シャッター部Ｓは、雄側接続口２３を含む雄側ケース１７の上部を囲むように固定されている。シャッター部Ｓは、上部に開口を有するケース２５と、雄側接続口２３を閉塞可能なシャッター部材２６と、雌型コネクタ１１が挿入される伝達部材２７とを備えている。
【００４０】
ケース２５は、略有底円筒状の本体部２５ａと、本体部２５ａから図中右側に膨出された第１膨出部２５ｂと、図中左側に膨出された第２膨出部２５ｃとを備えている。図２に示すように、本体部２５ａは、底壁部にコネクタ本体１６を貫挿する孔部２５ｅを備え、その内側にコネクタ本体１６の上部を収容している。
【００４１】
シャッター部材２６は、図１に示すように、第１シャッター部材３１と、第２シャッター部材３２とを備えている。これらのシャッター部材３１，３２は、略左右対称に形成されている。
【００４２】
図３に示すように、第１シャッター部材３１は、支持部３１ａと、支持部３１ａの各端部から延出された１対の延出部３１ｂ,３１ｃとを備えている。この延出部３１ｂ、３１ｃには、軸貫挿孔３１ｄ、３１ｅが貫通形成されている。これらの軸貫挿孔３１ｄ、３１ｅには、ケース２５の第１膨出部２５ｂに回転可能に支持された回転軸（図示略）が貫挿される。
【００４３】
また、支持部３１ａからは、シャッター板３１ｆが、該支持部３１ａの上面と略平行な方向に延出されている。このシャッター板３１ｆは、半円状をなし、その上面のうち直線状の端部には、段差部３１ｇが形成されている。さらに、支持部３１ａの上面のうち、延出部３１ｂ側には、溝状の係合凹部３１ｈが形成されている。
【００４４】
一方、第２シャッター部材３２は、支持部３２ａと、支持部３２ａの各端部から延出された１対の延出部３２ｂ，３２ｃとを備えている。図中上側の延出部３２ｂは、第１シャッター部材３１の延出部３１ｂよりも下方に形成され、下側の延出部３２ｃは、第１シャッター部材３１の延出部３１ｃよりも上方に形成されている。即ち、各延出部３２ｂ，３２ｃは、第１シャッター部材３１の延出部３１ｂ，３１ｃの間に挿入可能となっている。
【００４５】
この延出部３２ｂ，３２ｃには、軸貫挿孔３２ｄ,３２ｅが貫通形成されている。これらの軸貫挿孔３２ｄ，３２ｅには、第１シャッター部材３１を軸支する上記回転軸が貫挿される。
【００４６】
また、支持部３２ａからは、シャッター板３２ｆが、支持部３２ａの上面と略平行に延出されている。このシャッター板３２ｆは、半円状をなし、その下面であって直線状の端部には、第１シャッター部材３１の段差部３１ｇと係合可能な段差部３２ｇが形成されている。さらに、支持部３２ａの上面であって、第１シャッター部材３１の係合凹部３１ｈに対して対称となる位置には、係合凹部３２ｈが形成されている。
【００４７】
軸貫挿孔３１ｄ，３１ｅ，３２ｄ，３２ｅに回転軸を貫挿し、第１シャッター部材３１の段差部３１ｇと，第２シャッター部材３２の段差部３２ｇとを係合させると、各シャッター板３１ｆ，３２ｆが組み合わされて、平面視において円形状となる。このときの第１シャッター部材３１及び第２シャッター部材３２の位置を、以下、閉塞位置という。
【００４８】
また、図１に示すように、ケース２５の第１膨出部２５ｂには、第１シャッター部材３１及び第２シャッター部材３２を付勢するねじりコイルばね２５ｄが設けられている。ねじりコイルばね２５ｄの一方の腕部は、第１シャッター部材３１に固定され、他方の腕部は、第２シャッター部材３２に固定されている。そして、このねじりコイルばね２５ｄにより、第１シャッター部材３１及び第２シャッター部材３２は閉塞位置に付勢される。
【００４９】
また、図２に示すように、各シャッター板３１ｆ、３２ｆの下面には、エラストマー、又はゴム等の弾性部材からなる払拭部３１ｉ，３２ｉが固定されている。各シャッター部材３１，３２が閉塞位置に配置されている際は、払拭部３１ｉ，３２ｉは、雄側ケース１７の端面及び雄側弁体２１の先端面に当接している。
【００５０】
次に、伝達部材２７について説明する。図１に示すように、伝達部材２７は、第１伝達部材４１と、第２伝達部材４２とを備えている。これらの伝達部材４１，４２は、略左右対称に形成され、その基端部４１ａ，４２ａにおいてケース２５の第２膨出部２５ｃに回転可能に支持されている。また、第１伝達部材４１は、第１シャッター部材３１の上に配置され、第２伝達部材４２は、第２シャッター部材３２の上に配置されている。
【００５１】
図４に示すように、第１伝達部材４１は、その基端部４１ａに、共通軸（図示略）を貫挿する貫挿孔４１ｂを有している。この基端部４１ａからは、円弧状のアーム部４１ｃが延出形成されている。アーム部４１ｃの内側面は、第１伝達部材４１の上面側に配置され、内側に傾斜した傾斜面４１ｄと、下面側に配置された垂直面４１ｇとから構成されている。
【００５２】
第１伝達部材４１のうち、基端部４１ａに対して反対側となる端部には、先端部４１ｅが形成されている。先端部４１ｅの下面であって、その端には、係合ピン４１ｆが突出形成されている。この係合ピン４１ｆは、第１シャッター部材３１の係合凹部３１ｈに嵌合可能な大きさ及び形状を有している。
【００５３】
また、第２伝達部材４２は、その基端部４２ａに、上記共通軸を貫挿する貫挿孔４２ｂを有している。基端部４２ａからは、円弧状のアーム部４２ｃが延出されている。アーム部４２ｃの内側面は、第１伝達部材４１と同様に、内側に傾斜した傾斜面４２ｄと垂直面４２ｇとから構成されている。
【００５４】
また、第２伝達部材４２のうち、基端部４２ａに対して反対側となる端部には、先端部４２ｅが形成されている。先端部４２ｅの下面であって、その端には、係合ピン４２ｆが突出形成されている。この係合ピン４２ｆは、第２シャッター部材３２の係合凹部３２ｈに嵌合可能な大きさ及び形状を有している。
【００５５】
これらの第１伝達部材４１及び第２伝達部材４２は、図１に示すように、貫挿孔４１ｂと貫挿孔４２ｂとを一致させた状態でケース２５に固定されている。また、第１伝達部材４１及び第２伝達部材４２には、図示しないねじりコイルばねが連結され、該ねじりコイルばねの付勢力により、その先端部４１ｅ，４２ｅが互いに当接する位置に付勢されている。以下、先端部４１ｅ，４２ｅが互いに当接する位置を、第１伝達部材４１及び第２伝達部材４２の非作用位置という。
【００５６】
また第１伝達部材４１及び第２伝達部材４２を非作用位置に配置すると、アーム部４１ｃ、４２ｃの内側には、雌型コネクタ１１を挿入可能な挿入孔４３が形成される。挿入孔４３のうち、垂直面４１ｇ、４２ｇの内側に形成される孔は、雌側ケース１５の雌側接続口１３の外径よりも若干小さく形成される。挿入孔４３に連続する傾斜面４１ｄ，４２ｄによって形成される孔は、雌側接続口１３の外径とほぼ同じか若干大きく形成されている。
【００５７】
また、第１伝達部材４１及び第２伝達部材４２を非作用位置に位置するとき、各係合ピン４１ｆ，４２ｆは、各シャッター部材３１，３２の係合凹部３１ｈ、３２ｈの内側に嵌合される。
【００５８】
このような構成により、挿入孔４３に雌型コネクタ１１を挿入すると、雄型コネクタ１２によって挿入孔４３が押し広げられ、第１伝達部材４１及び第２伝達部材４２が、それらの先端部４１ｅ，４２ｅが離間する方向に回動する。このため、係合ピン４１ｆ、４２ｆも同方向に移動し、各シャッター部材３１，３２の係合凹部３１ｈ，３２ｈの内側面と当接することにより、各シャッター部材３１，３２を押圧する。その結果、第１シャッター部材３１は、第１伝達部材４１と同方向に回動し、第２シャッター部材３２は、第２伝達部材４２と同方向に回動する。
【００５９】
次に、本実施形態の雄型コネクタ１２の作用について説明する。図５に示すように、雄型コネクタ１２に接続されていない非接続時には、第１伝達部材４１及び第２伝達部材４２は、非作用位置にそれぞれ配置され、それらのアーム部４１ｃ，４２ｃの内側には、略円形状の挿入孔４３が形成されている。
【００６０】
また、第１シャッター部材３１及び第２シャッター部材３２は、その段差部３１ｇ，３２ｇが係合し、且つ雄側接続口２３を閉塞した閉塞位置にそれぞれ配置されている。このとき、各伝達部材４１，４２の係合ピン４１ｆ，４２ｆは、第１シャッター部材３１の係合凹部３１ｈと、第２シャッター部材３２の係合凹部３２ｈにそれぞれ差し込まれている。
【００６１】
そして、雌型コネクタ１１の先端部が、傾斜面４１ｄ，４２ｄによって囲まれる孔に挿入されると、雌型コネクタ１１は、傾斜面４１ｄ，４２ｄに当接しながら垂直面４１ｇ、４２ｇによって囲まれる孔に導かれる。
【００６２】
雌型コネクタ１１が、垂直面４１ｇ、４２ｇによって囲まれる孔の内側に挿入されると、上述したようにその孔の内径は雌側接続口１３の外径よりも小さいため、挿入孔４３は押し広げられる。その結果、第１伝達部材４１及び第２伝達部材４２は、その基端部４１ａ，４２ａを中心に、外側へ向かって回動する。このとき、図６に示すように、各伝達部材４１，４２の係合ピン４１ｆ，４２ｆも外側へ向かって回動するため、これらの係合ピン４１ｆ，４２ｆと係合凹部３１ｈ，３２ｈで当接する第１シャッター部材３１及び第２シャッター部材３２は、閉塞位置から、外側に向かって回動する。
【００６３】
このように、雌型コネクタ１１がシャッター部Ｓへ押し込まれる力は、伝達部材２７によって回転力に変換されてシャッター部材２６に伝達される。この際、係合ピン４１ｆ、４２ｆは、第１シャッター部材３１及び第２シャッター部材３２の基端部側に当接するため、第１シャッター部材３１及び第２シャッター部材３２の回動角度は、第１伝達部材４１及び第２伝達部材４２の回動角度よりも大きくなる。
【００６４】
図６に示す状態から、雄型コネクタ１２を雌型コネクタ１１にさらに押し込んでいくと、図７に示すように、第１伝達部材４１及び第２伝達部材４２がさらに外側に向かって回動し、挿入孔４３の内径がさらに拡大される。第１シャッター部材３１及び第２シャッター部材３２は、各伝達部材４１，４２に従動して、外側に向かってさらに回動し、雄型コネクタ１２の雄側接続口２３全体を露出させた開放位置に配置される。
【００６５】
このように雄側接続口２３が露出されると、コネクタ本体１６と雌型コネクタ１１とが連結可能となり、雌型コネクタ１１の雌側ケース１５は、ケース２５の内側に貫挿され、雄型コネクタ１２の雄側ケース１７は、その雌型コネクタ１１の雌側ケース１５内に挿入される。また、雌型コネクタ１１の上記固定弁が雄側ケース１７内に挿入され、コイルばね２２の付勢力に抗して、雄側弁体２１を押圧する。このため、雄側弁体２１は、雄側接続口２３に対して反対側となる方向へ変位する。
【００６６】
雄側弁体２１の先端部２１ｂが小径流路１８ｂから抜出されると、雄側弁機構２０は開状態となる。このとき雌側弁機構も開状態とされるため、雌型コネクタ１１を介して第１外部流路から流体が導入され、雄型コネクタ１２に供給される。雄型コネクタ１２に供給された流体は、雄側接続口２３を介して、雄側弁体２１の貫通孔２１ｃを通過し、大径流路１８ａに導入される。大径流路１８ａに導入された流体は、継手部１９の流路を介して第２外部流路に送出される。
【００６７】
雌型コネクタ１１及び雄型コネクタ１２の接続を解除する際には、例えば雄型コネクタ１２を引っ張って、雄型コネクタ１２を雌型コネクタ１１から引き抜く。雌型コネクタ１１が、コネクタ本体１６から抜出されると、コイルばね２２の付勢力により、雄側弁体２１が閉位置に配置される。
【００６８】
雌側接続口１３が、垂直面４１ｇ，４２ｇによって囲まれる孔から抜出されると、第１伝達部材４１及び第２伝達部材４２が、上記ねじりコイルばねの付勢力により、内側、即ち作用位置から非作用位置に向かって回動する。この回動に伴い、係合ピン４１ｆ、４２ｆも内側に向かって回動するため、第１シャッター部材３１及び第２シャッター部材３２は、ねじりコイルばね２５ｄの付勢力により、内側、即ち開放位置から閉塞位置に向かって回動する。
【００６９】
このとき、第１シャッター部材３１の払拭部３１ｉと、第２シャッター部材３２の払拭部３２ｉとが、雄側ケース１７の端面及び雄側弁体２１の先端面に摺接されるので、雄側ケース１７の端面及び雄側弁体２１の先端面に付着した液体等が払拭される。
【００７０】
雌側接続口１３が、挿入孔４３から完全に抜出されると、第１伝達部材４１及び第２伝達部材４２が非作用位置に配置される。また、第１シャッター部材３１及び第２シャッター部材３２は、閉塞位置に配置されるため、雄側接続口２３全体が閉塞され、雄側接続口２３への塵埃等の異物の付着が抑制される。
【００７１】
第１実施形態によれば、以下のような効果を得ることができる。
（１）第１実施形態では、雄型コネクタ１２は、雄側接続口２３を閉塞する閉塞位置と、雄側接続口２３を露出する開放位置との間で変位するシャッター部Ｓを備えた。このため、雄型コネクタ１２と雌型コネクタ１１とを接続する接続時には、シャッター部Ｓを開放位置に配置し、雄型コネクタ１２に雌型コネクタ１１を接続しない非接続時には、シャッター部Ｓを閉塞位置に配置し、雄側接続口２３を閉塞することができる。このため、非接続時において、雄型コネクタ１２の雄側接続口２３に、塵埃等の異物が付着することを抑制することができる。
【００７２】
（２）シャッター部Ｓは、閉塞位置と開放位置との間を変位する際に雄側接続口２３を払拭する払拭部３１ｉ，３２ｉを備えた。このため、雄型コネクタ１２を流れる流体が液体である場合に、第１シャッター部材３１及び第２シャッター部材３２が、閉塞位置から開放位置へ変位する際、及び開放位置から閉塞位置へ変位する際に、雄側接続口２３に付着した液体等を除去することができる。このため、雄側接続口２３に、液体中の揮発成分が揮発した残留物からなる異物が残留することを抑制することができる。また、雄側接続口２３に液体が付着することにより、塵埃等の異物が付きやすくなることを防ぐことができる。
【００７３】
（３）シャッター部Ｓは、シャッター部材２６により開口を閉塞されるケース２５を備え、雄側接続口２３を、ケース２５とシャッター部材２６とにより閉塞できる。このため、より効果的に雄側接続口２３への塵埃の付着を抑制することができる。
【００７４】
（４）シャッター部Ｓは、雌型コネクタ１１の挿入により非作用位置と作用位置との間で変位する伝達部材２７と、伝達部材２７の変位に従動し、閉塞位置と開放位置との間で変位するシャッター板３１ｆ、３２ｆを有するシャッター部材２６とをさらに備えた。即ち、伝達部材２７に雌型コネクタ１１を挿入することにより、特別な操作を行わなくても、シャッター板３１ｆ、３２ｆが開放位置に配置される。従って、雌型コネクタ１１と雄型コネクタ１２との接続を簡単な操作で行うことができる。
【００７５】
（第２実施形態）
次に、本発明を具体化した第２実施形態を図８〜図１０にしたがって説明する。尚、第２実施形態は、第１実施形態のシャッター部を変更したのみの構成であるため、同様の部分についてはその詳細な説明を省略する。
【００７６】
図８に示すように、本実施形態の雄型コネクタ５０に備えられるシャッター部は、一対のコネクタ本体１６を収容する外郭部としての筐体５１と、シャッター板５５とを有する。筐体５１は、上部に開口を有する箱状に形成され、図中左側の側壁部５１ｃには、側方に突出した中空状の突出部５１ｆが形成されている。また筐体５１の底壁部には、コネクタ本体１６を貫挿する貫挿孔が形成されている（図示略）。コネクタ本体１６は、継手部１９を含む下部を、筐体５１の下方に突出させた状態で貫挿されている。
【００７７】
筐体５１の側壁部５１ａ，５１ｂには、溝部５２がそれぞれ貫通形成されている。溝部５２は、側壁部５１ａ，５１ｂの幅方向及び高さ方向と、突出部５１ｆの幅方向の範囲に亘って形成されている。より具体的には、溝部５２は、側壁部５１ａ，５１ｂの上側部に形成され、その幅方向と平行な第１水平部５２ａと、側壁部５１ａ，５１ｂの突出部５１ｆ側に形成され、該第１水平部５２ａに対して垂直な方向に延在する垂直部５２ｂとを有している。さらに溝部５２は、側壁部５１ａ，５１ｂのうち、突出部５１ｆにかかる位置に形成され、第１水平部５２ａと平行であって、垂直部５２ｂに連続する第２水平部５２ｃを有している。
【００７８】
この溝部５２には、シャッター板５５が、移動可能に支持される。図９に示すように、シャッター板５５は、複数の山部５５ａと、各山部５５ａの間に設けられる谷部５５ｂとから構成される。山部５５ａは長尺状であって、各山部５５ａは、その長手方向の辺が向かい合うように配列されている。これらの山部５５ａは、肉薄状且つ可撓性の谷部５５ｂによって連結されている。シャッター板５５の長手方向、即ち山部５５ａの配列方向の長さは、溝部５２の第１水平部５２ａと同じ長さとなっている。
【００７９】
このシャッター板５５のうち、山部５５ａの端部は、筐体５１に形成された溝部５２に嵌合される。この構成により、シャッター板５５は、溝部５２の形状にそって湾曲可能となっている。
【００８０】
さらに、山部５５ａの下面には、その下面のほぼ全域を覆うようにエラストマー又はゴム等の弾性部材からなる払拭部５５ｃが、谷部５５ｂの下面と略同一面上となるように固定されている。各山部５５ａのうち、最も端に配置された山部５５ａには、溝部５２に沿ってシャッター板５５を移動させるための操作部５５ｄが設けられている。
【００８１】
また、筐体５１の側壁部５１ｃのうち、筐体５１の上部開口からは、規制凹部５１ｅが切り欠くように形成されている。この規制凹部５１ｅは、シャッター板５５の操作部５５ｄと当接することで、シャッター板５５の移動を規制する。
【００８２】
次に、本実施形態の雄型コネクタ５０の作用について説明する。雄型コネクタ５０を雌型コネクタ１１に連結しない非連結時には、図１０に示すように、シャッター板５５を、第１水平部５２ａによって支持された閉塞位置に配置する。コネクタ本体１６の先端面は、シャッター板５５によって閉塞され、外部に露出されない状態となっている。また操作部５５ｄは、規制凹部５１ｅが形成された側壁部５１ｃに対して反対側となる側壁部５１ｄ側に配置されている。
【００８３】
雄型コネクタ５０を雌型コネクタ１１に連結する連結時には、操作部５５ｄを、溝部５２の長手方向（図中Ｘ方向）に引っ張ることで、シャッター板５５をスライド移動させる。シャッター板５５は、第１水平部５２ａから、垂直部５２ｂ及び第２水平部５２ｃによって支持される位置へと移動する。このとき、シャッター板５５の払拭部５５ｃは、コネクタ本体１６の先端面を払拭しながら移動する。このため、雌型コネクタ１１及び雄型コネクタ５０を流れる流体が液体である場合に、先端面に付着した液体を除去することができる。
【００８４】
そして、操作部５５ｄが規制凹部５１ｅに当接すると、シャッター板５５の移動が規制され、シャッター板５５は開放位置に配置される。このとき、シャッター板５５は、溝部５２に沿って屈曲し筐体５１の端部に収容されるので、筐体５１を、水平方向において省スペース化することができる。
【００８５】
雄型コネクタ５０と雌型コネクタ１１との接続を解除する際には、コネクタ本体１６を雌型コネクタ１１から抜出した後、シャッター板５５の操作部５５ｄを、水平方向であって上記Ｘ方向と反対方向に引っ張り、シャッター板５５を開放位置から閉塞位置へ変位させる。この際、シャッター板５５の払拭部５５ｃによって、コネクタ本体１６の先端面に付着した液体等が払拭される。
【００８６】
従って、第２実施形態によれば、以下の効果を得ることができる。
（５）第２実施形態では、シャッター部Ｓは、雄側ケース１７を囲む筐体５１と、筐体５１に形成された溝部５２に支持され、該溝部５２に沿って閉塞位置と開放位置との間でスライド移動するシャッター板５５とを備えた。このため、雄型コネクタ１２に雌型コネクタ１１が接続されていない場合には、シャッター板５５を閉塞位置に配置することで雄側接続口２３を閉塞することができる。このため、非接続時において、雄側接続口２３に塵埃等の異物が付着することを抑制することができる。
【００８７】
（６）シャッター板５５は、閉塞位置と開放位置との間を変位する際に雄側接続口２３を払拭する払拭部５５ｃを備えた。このため、雄型コネクタ１２を流れる流体が液体である場合に、シャッター板５５、閉塞位置から開放位置へ変位する際、及び開放位置から閉塞位置へ変位する際に、雄側接続口２３に付着した液体等を除去することができる。このため、雄側接続口２３に液体が付着することにより、塵埃等の異物が付きやすくなることを防ぐことができる。
【００８８】
（７）シャッター板５５を、複数の山部５５ａと、該山部５５ａの間に形成された複数の谷部５５ｂとを有し、溝部５２の形状に沿って屈曲可能な構成とした。このため、シャッター板５５を、屈曲した溝部５２に沿って筐体５１内に収容することができるため、筐体５１を水平方向において省スペース化することができる。
【００８９】
（第３実施形態）
次に、本発明を具体化した第３実施形態を図１１及び図１２にしたがって説明する。尚、第３実施形態は、第１実施形態のシャッター部を変更したのみの構成であるため、同様の部分についてはその詳細な説明を省略する。
【００９０】
図１１に示すように、本実施形態の雄型コネクタ６０に備えられるシャッター部は、上部に開口を有する外郭部としての筐体６１と、筐体６１にスライド可能に設けられた蓋体６２とを有する。筐体６１の側壁部６１ａ，６１ｂには、略円柱状の突部６１ｃ、６１ｄがそれぞれ形成されている。
【００９１】
蓋体６２は、第１蓋体６３と第２蓋体６４とから構成されている。第１蓋体６３及び第２蓋体６４は、互いに対向する側方と底面とにおいて開口し、互いに組み合わされることで、雄側接続口２３を閉塞可能な蓋体６２となる。また、第１蓋体６３の側壁には、スライド溝６３ａが、図中右側上方から左側下方に向かって斜めに形成されている。第２蓋体６４の側壁には、スライド溝６４ａが、第１蓋体６３のスライド溝６３ａと左右対称に、即ち図中左側上方から右側下方に向かって斜めに形成されている。このスライド溝６３ａ，６４ａには、突部６１ｃ，６１ｄ摺動可能に内嵌されている。
【００９２】
次に、本実施形態の雄型コネクタ６０の作用について説明する。雄型コネクタ６０が雌型コネクタ１１に連結されない非接続時には、図１２に示すように、突部６１ｃ，６１ｄが、スライド溝６３ａ，６４ａの最下端位置Ｐ１に配置され、第１蓋体６３及び第２蓋体６４は、それらの端面が互いに当接した閉塞位置に配置されている。このとき、雄側接続口２３は、蓋体６２によって外部に露出されない状態となっている。従って、非接続時には、雄側接続口２３に塵埃が付着することを抑制することができる。
【００９３】
雄型コネクタ１２を雌型コネクタ１１に連結する連結時には、第１蓋体６３及び第２蓋体６４を外側に向かって開く。その結果、突部６１ｃ，６１ｄが第１蓋体６３及び第２蓋体６４のスライド溝６３ａ，６４ａ内を摺動することにより、第１蓋体６３及び第２蓋体６４が、斜め下方に向かってそれぞれスライド移動する。そして、図１１に示すように、突部６１ｃ，６１ｄが、スライド溝６３ａ，６４ａの最上端位置Ｐ２に配置されると、第１蓋体６３及び第２蓋体６４は、コネクタ本体１６の雄側接続口２３を露出する開放位置に配置される。
【００９４】
雄型コネクタ６０と雌型コネクタ１１との接続を解除する際には、コネクタ本体１６を雌型コネクタ１１から抜出した後、第１蓋体６３及び第２蓋体６４を近づけるように回動させ、閉塞位置へ変位させる。
【００９５】
従って、第３実施形態によれば、以下の効果を得ることができる。
（８）第３実施形態では、シャッター部Ｓは、コネクタ本体１６を囲む筐体６１と、互いに組み合わされることで雄側接続口２３を閉塞する１対の蓋体６３，６４とを備える。各蓋体６３，６４は、筐体６１に形成された突部６１ｃ、６１ｄを内嵌する対称なスライド溝６３ａ，６４ａをそれぞれ有し、スライド溝６３ａ，６４ａに沿ってスライド移動する。このため、雄型コネクタ６０に雌型コネクタ１１が接続されていない非接続時には、蓋体６３，６４を閉塞位置に変位させ、雄側接続口２３を閉塞することができる。このため、非接続時において、雄側接続口２３に塵埃等の異物が付着することを抑制することができる。
【００９６】
（第４実施形態）
次に、本発明を具体化した第４実施形態を図１３〜図１５にしたがって説明する。尚、第４実施形態は、第１実施形態のシャッター部を変更したのみの構成であるため、同様の部分についてはその詳細な説明を省略する。
【００９７】
図１３に示すように、本実施形態の雄型コネクタ７０に備えられるシャッター部は、上部に開口を有する外郭部としての筐体７１と、筐体７１に回動可能に設けられた円蓋部７５とを有する。
【００９８】
筐体７１の底壁部には１対のコネクタ本体１６を貫挿するための貫挿孔がそれぞれ形成されている（図示略）。コネクタ本体１６は、筐体７１に対し、継手部１９を含む下方を、筐体７１の底壁部から突出させた状態で固定されている。
【００９９】
円蓋部７５は、内側円蓋部７６と、内側円蓋部７６よりも大きく、内側円蓋部７６の外側に設けられた外側円蓋部７７とから構成される。これらの内側円蓋部７６及び外側円蓋部７７は、筐体７１に回転可能に軸支されている。本実施形態では、内側円蓋部７６及び外側円蓋部７７の基端部に形成された孔に、筐体７１に形成された共通軸７１ａ（図１４参照）が貫挿されている。
【０１００】
また図１４に示すように、外側円蓋部７７は、その一端に、内側に突出した突片７７ａを有している。外側円蓋部７７が、閉塞位置から開放位置に向かう回動時には、この突片７７ａを内側円蓋部７６に当接させることにより、内側円蓋部７６を、外側円蓋部７７の回動動作に従動させる。
【０１０１】
次に、本実施形態の雄型コネクタ７０の作用について説明する。雄型コネクタ７０に雌型コネクタ１１を接続しない非接続時には、図１５に示すように、内側円蓋部７６を図中左側方に配置し、外側円蓋部７７を図中右側に配置し、雄側接続口２３を閉塞する。尚、このときの各円蓋部７６，７７の位置を、閉塞位置という。
【０１０２】
雄型コネクタ７０に雌型コネクタを接続する接続時には、図１５に示す閉塞位置に配置された外側円蓋部７７を、内側円蓋部７６側に向かって回動させる。外側円蓋部７７が内側円蓋部７６にほぼ重ね合されると、外側円蓋部７７の突片７７ａが、内側円蓋部７６の端面に当接する。この状態から外側円蓋部７７をさらに回動させると、その回動動作に従動して、内側円蓋部７６が回動する。
【０１０３】
その結果、図１４に示すように、内側円蓋部７６及び外側円蓋部７７が、筐体７１とコネクタ本体１６との間に設けられた収容空間に収容される。このとき、内側円蓋部７６及び外側円蓋部７７を重ね合わせて収容することができるので、収容空間の省スペース化を図ることができる。
【０１０４】
雄型コネクタ７０と雌型コネクタ１１との接続を解除する際には、コネクタ本体１６を雌型コネクタ１１から抜出した後、外側円蓋部７７及び内側円蓋部７６を閉塞位置までそれぞれ回動させる。
【０１０５】
従って、第４実施形態によれば、以下の効果を得ることができる。
（９）第４実施形態では、シャッター部Ｓは、コネクタ本体１６を囲む筐体７１と、筐体７１に回動可能に軸支される円蓋部７５を備える。このため、雄型コネクタ７０が雌型コネクタ１１に接続されていない非接続時には、円蓋部７５を閉塞位置に回動し、雄側接続口２３を閉塞することができる。このため、非接続時において、雄側接続口２３に塵埃等の異物が付着することを抑制することができる。
【０１０６】
尚、上記各実施形態は以下のように変更してもよい。
・第４実施形態では、外側円蓋部７７の突片７７ａを省略し、外側円蓋部７７の回動動作に内側円蓋部７６が従動しない構成としてもよい。
【０１０７】
・雄側接続口２３を払拭する払拭部を、第３実施形態に記載の雄型コネクタ６０、第４実施形態に記載の雄型コネクタ７０に設けてもよい。第３実施形態に記載の雄型コネクタ６０の場合には、蓋体６３，６４の裏面に、雄側接続口２３を払拭可能な厚さ及び形状の払拭部を設け、第４実施形態に記載の雄型コネクタ７０の場合には、円蓋部７５の裏面に、雄側接続口２３を払拭可能な厚さ及び形状の払拭部を設ける。
【０１０８】
・払拭部３１ｉ，３２ｉ，５５ｃは、弾性部材でなくても、スポンジや不織布等の液体を吸収可能な材料から形成してもよい。
・上記各実施形態では、シャッター部Ｓを、雄型コネクタ１２に固定したが、雌型コネクタ１１に固定するようにしてもよい。又は雄型コネクタ１２及び雌型コネクタ１１の両方に固定してもよい。
【０１０９】
・コネクタの構成や形状は、上記各実施形態以外の構成及び形状でもよく、雄型コネクタ１２及び雌型コネクタ１１の少なくとも一方にシャッター部Ｓを備えていればよい。
【符号の説明】
【０１１０】
１１…外部コネクタとしての雌型コネクタ、１２，５０，６０，７０…雄型コネクタ、１７…ハウジングとしての雄側ケース、１８…内部流路、２３…雄側接続口、２７，４１，４２…伝達部材、３１ｆ、３２ｆ，５５…シャッター板、３１ｉ，３２ｉ，５５ｃ…払拭部、５１，６１，７１…外郭部としての筐体、５２…溝部、５５ａ…山部、５５ｂ…谷部、６１ｃ，６１ｄ…突部、６２，６３，６４…蓋体、６３ａ，６３ｂ…溝、７５，７６，７７…円蓋部、Ｓ…シャッター部。
【図１】
2013007466.tif 000003
【図２】
2013007466.tif 000004
【図３】
2013007466.tif 000005
【図４】
2013007466.tif 000006
【図５】
2013007466.tif 000007
【図６】
2013007466.tif 000008
【図７】
2013007466.tif 000009
【図８】
2013007466.tif 000010
【図９】
2013007466.tif 000011
【図１０】
2013007466.tif 000012
【図１１】
2013007466.tif 000013
【図１２】
2013007466.tif 000014
【図１３】
2013007466.tif 000015
【図１４】
2013007466.tif 000016
【図１５】
2013007466.tif 000017
【図１６】
2013007466.tif 000018